(57)【要約】【課題】ペットの前後の足が拘縮することを防止することができるペット用クッションを提供する。【解決手段】ペット用クッション１は、側臥位の状態にあるペットＰの左前足Ｌｌｆおよび左後ろ足Ｌｌｒ、ならびに右前足Ｌｒｆおよび右後ろ足Ｌｒｒの組合せのうち、一方側の前足および後ろ足を支持しペットＰの胴長さ方向Ｄｐに対して長さ方向Ｄ１が沿って配置される長尺状のクッション本体部４と、このクッション本体部４の下部に設けられ、上記長さ方向Ｄ１において互いに離間して設けられることでペットＰの他方側の前足および後ろ足がクッション本体部４を挟んで一方側の前足および後ろ足に対向して配置される前足配置空間Ｒｆおよび後ろ足配置空間Ｒｒを形成する少なくとも２つのクッション支持部５と、を備えている。【選択図】図２
2017158493.tif 000002
【特許請求の範囲】
【請求項１】
側臥位の状態にあるペットの左前足および左後ろ足、ならびに右前足および右後ろ足の組合せのうち、一方側の前足および後ろ足を支持し前記ペットの胴長さ方向に対して長さ方向が沿って配置される長尺状のクッション本体部と、
前記クッション本体部の下部に設けられ、前記クッション本体部の長さ方向において互いに離間して設けられることで前記ペットの他方側の前足および後ろ足が前記クッション本体部を挟んで前記一方側の前足および後ろ足に対向して配置される配置空間を形成する少なくとも２つのクッション支持部と、を備えた、ペット用クッション。
【請求項２】
前記２つのクッション支持部は、第１クッション支持部および第２クッション支持部であり、
前記第１クッション支持部は、前記クッション本体部の一端部側に配置され、
前記第２クッション支持部は、前記クッション本体部の他端部側に配置され、
前記第１クッション支持部と前記第２クッション支持部との間に配置され、かつ前記配置空間を、前記ペットの他方側の前足が配置される前足配置空間と前記他方側の後ろ足が配置される後ろ足配置空間とに区分けする第３クッション支持部をさらに備えた、請求項１に記載のペット用クッション。
【請求項３】
前記クッション支持部は、直方体形状に形成されており、当該クッション支持部の長さ方向が前記クッション本体部の長さ方向と交差するように配置されている、請求項１または２に記載のペット用クッション。
【請求項４】
前記クッション支持部は、当該クッション支持部の長さ方向が前記クッション本体部の長さ方向と直交するように配置されている、請求項３に記載のペット用クッション。
【請求項５】
前記クッション支持部の長さ方向に垂直な面は、第１辺と当該第１辺よりも長い第２辺を有する矩形状の面であり、
前記クッション支持部は、前記クッション本体部の下部に着脱自在に設けられ、前記第１辺が前記クッション本体部の長さ方向に垂直となるように、または前記第２辺が前記クッション本体部の長さ方向に垂直となるように配置されている、請求項３または４に記載のペット用クッション。
【請求項６】
前記クッション本体部に対して独立して設けられ、前記ペットの顎を支持する顎支持クッションをさらに備えた、請求項１〜５のいずれか１項に記載のペット用クッション。
【請求項７】
前記クッション本体部は、前記ペットの一方側の前足および後ろ足を支持する方に配置された低反発性部と、前記低反発性部よりも高い反発性を有し、前記ペットの一方側の前足および後ろ足を支持する方とは逆方に配置された高反発性部と、を有している、請求項１〜６のいずれか１項に記載のペット用クッション。
【請求項８】
前記クッション本体部の下部に設けられた本体部用面ファスナと、
前記クッション支持部に設けられ、前記本体部用面ファスナに係合する支持部用面ファスナと、をさらに備えた、請求項５〜７のいずれか１項に記載のペット用クッション。
【請求項９】
前記第１クッション支持部、前記第２クッション支持部、および前記第３クッション支持部は、それぞれ前記クッション本体部の長さ方向に垂直な方向において互いに離間して配置された複数のクッション点在部を有している、請求項１または２に記載のペット用クッション。
【請求項１０】
介護が必要な前記ペットに用いられる、請求項１〜９のいずれか１項に記載のペット用クッション。
【発明の詳細な説明】
【技術分野】
【０００１】
本発明は、犬などのペットに用いられるペット用クッションに関する。
【背景技術】
【０００２】
従来から、ペットに用いられる介護用クッションが提案されている。例えば特許文献１には、ペットの両足に介護用クッションを挟み込むようにして抱かせることによって、ペットの股擦れ等を防止することのできる円柱状のクッションが開示されている。また、例えば特許文献２には、ペット用介護用品ではないが、人間の両足にマット本体を挟ませることによって股関節の内転を防止することのできるマットが開示されている。
【先行技術文献】
【特許文献】
【０００３】
【特許文献１】特開２００７−１５９４０４号公報
【特許文献２】登録実用新案第３１３１１７７号公報
【発明の概要】
【発明が解決しようとする課題】
【０００４】
ところで、ペットが老化や怪我または疾病等が原因で寝たきりになる状態が続くと、左右の足が交差した状態で拘縮（すなわち、関節を動かさないことに起因して当該関節の動く範囲が狭くなった状態のこと）し、その結果内臓が圧迫され、左右の足の関節同士が擦れて炎症を引き起こす場合がある。しかしながら、上記特許文献１および特許文献２の技術は、それぞれペットの足の拘縮を防ぐことを提案するものではない。特許文献１においては、ペットが左右の両足でクッションを挟み込むようにして抱くため、足の内転（すなわち、左足を右足に向けて動かすこと並びに右足を左足に向けて動かすこと）については防止される。しかし、寝たきり状態のペットは通常は側臥位の姿勢を維持するため、下側の足がクッションに圧迫されて動かし難くなる。このため、下側の足に拘縮が生じ易くなってしまう。
【０００５】
本発明はかかる点に鑑みてなされたものであり、その目的は、ペットの前後の足が拘縮することを防止することができるペット用クッションを提供することである。
【課題を解決するための手段】
【０００６】
本発明に係るペット用クッションは、側臥位の状態にあるペットの左前足および左後ろ足、ならびに右前足および右後ろ足の組合せのうち、一方側の前足および後ろ足を支持し前記ペットの胴長さ方向に対して長さ方向が沿って配置される長尺状のクッション本体部と、前記クッション本体部の下部に設けられ、前記クッション本体部の長さ方向において互いに離間して設けられることで前記ペットの他方側の前足および後ろ足が前記クッション本体部を挟んで前記一方側の前足および後ろ足に対向して配置される配置空間を形成する少なくとも２つのクッション支持部と、を備えている。
【０００７】
本発明に係るペット用クッションによれば、側臥位の状態にあるペットの左側および右側のうち一方側の前足と後ろ足とが、それぞれ長尺状のクッション本体部に支持される。また、上記ペットの他方側の前足と後ろ足とが、それぞれクッション本体部の下方に形成された配置空間に配置される。これによって、クッション本体部に支持されたペットの一方側の前足と後ろ足とが内転を起こすことを防止することができ、他方側の前足と後ろ足とが内転を起こすことを防止することができる。また、ペットの他方側の前足と後ろ足とが上記配置空間に配置されるので、クッション本体部に圧迫されることがない。これにより、継続的な圧迫を受けることで関節の動く範囲が制限されることがないので、ペットの他方側の前足と後ろ足とが拘縮することを防止することができる。そして、足の拘縮が防止されるため、足の拘縮に起因した内臓に対する圧迫を防ぐことができる。さらに、ペットの姿勢を、クッション本体部に一方側の前足および後ろ足が支持され、配置空間に他方側の前足および後ろ足が配置された状態に維持することができるので、例えばオムツ交換や寝返り補助等が楽になり、介護負担が著しく軽減される。以上の次第で、ペットの一方側および他方側の前足と後ろ足とが拘縮することを防止することができる。
【０００８】
本発明の好ましい一態様によれば、前記２つのクッション支持部は、第１クッション支持部および第２クッション支持部であり、前記第１クッション支持部は、前記クッション本体部の一端部側に配置され、前記第２クッション支持部は、前記クッション本体部の他端部側に配置され、前記第１クッション支持部と前記第２クッション支持部との間に配置され、かつ前記配置空間を、前記ペットの他方側の前足が配置される前足配置空間と前記他方側の後ろ足が配置される後ろ足配置空間とに区分けする第３クッション支持部をさらに備えている。
【０００９】
上記態様によれば、第１クッション支持部と第２クッション支持部との間に設けられた第３クッション支持部によって、配置空間をペットの他方側の前足が配置される前足配置空間と他方側の後ろ足が配置される後ろ足配置空間とに分けることができる。それによって、ペットの他方側の前足および後ろ足の位置決めがし易くなると共に、当該前足と後ろ足とが擦れることがなくなる。また、第３クッション支持部を設けない場合、クッション本体部の材質や剛性によっては、当該クッション本体部の中央部が撓む恐れがあるが、このようなクッション本体部に生じ得る撓みを第３クッション支持部によって抑制することができる。
【００１０】
本発明の好ましい他の一態様によれば、前記クッション支持部は、直方体形状に形成されており、当該クッション支持部の長さ方向が前記クッション本体部の長さ方向と交差するように配置されている。
【００１１】
上記態様によれば、クッション支持部がその長さ方向がクッション本体部の長さ方向と平行になるように配置されている場合に比べ、配置空間を大きくすることができる。これにより、上記配置空間に配置されるペットの他方側の前足および後ろ足の自由度が増す。これによって、ペットに大きな拘束感を与えることが防止される。
【００１２】
本発明の好ましい他の一態様によれば、前記クッション支持部は、当該クッション支持部の長さ方向が前記クッション本体部の長さ方向と直交するように配置されている。
【００１３】
上記態様によれば、クッション支持部がその長さ方向がクッション本体部の長さ方向と平行になるように配置されている場合に比べ、配置空間をより大きくすることができる。これにより、上記配置空間に配置されるペットの他方側の前足および後ろ足の自由度がより増す。これによって、ペットに大きな拘束感を与えることが防止される。
【００１４】
本発明の好ましい他の一態様によれば、前記クッション支持部の長さ方向に垂直な面は、第１辺と当該第１辺よりも長い第２辺を有する矩形状の面であり、前記クッション支持部は、前記クッション本体部の下部に着脱自在に設けられ、前記第１辺が前記クッション本体部の長さ方向に垂直となるように、または前記第２辺が前記クッション本体部の長さ方向に垂直となるように配置されている。
【００１５】
上記態様によれば、上記第１辺がクッション本体部の長さ方向に垂直となるように配置された状態から、上記第２辺がクッション本体部の長さ方向に垂直となるように配置された状態にクッション支持部の配置を変更することによって、クッション支持部の高さを高くすることができる。逆に、上記第２辺がクッション本体部の長さ方向に垂直となるように配置された状態から、上記第１辺がクッション本体部の長さ方向に垂直となるように配置された状態にクッション支持部の配置を変更することによって、クッション支持部の高さを低くすることができる。このように、ペットの個体差に応じて、クッション支持部の高さを柔軟に変更することが可能となる。
【００１６】
本発明の好ましい他の一態様によれば、ペット用クッションは、前記クッション本体部に対して独立して設けられ、前記ペットの顎を支持する顎支持クッションをさらに備えている。
【００１７】
上記態様によれば、クッション本体部に一方側の前足および後ろ足が支持され、配置空間に他方側の前足および後ろ足が配置された状態のペットの顎を顎支持クッションにより支持することができる。これによって、ペットの頭部の位置が高くなり、当該ペットの姿勢が楽になることが期待される。
【００１８】
本発明の好ましい他の一態様によれば、前記クッション本体部は、前記ペットの一方側の前足および後ろ足を支持する方に配置された低反発性部と、前記低反発性部よりも高い反発性を有し、前記ペットの一方側の前足および後ろ足を支持する方とは逆方に配置された高反発性部と、を有している。
【００１９】
上記態様によれば、ペットの一方側の前足および後ろ足に接触する部分を低反発性部により比較的柔らかくすることができる。これにより、ペットの体圧が分散され、ペットに対する不快感を抑制することができる。また、低反発性部よりも離れた領域に高反発性部を設けることによって、クッション本体部の剛性を高めることができる。
【００２０】
本発明の好ましい他の一態様によれば、ペット用クッションは、前記クッション本体部の下部に設けられた本体部用面ファスナと、前記クッション支持部に設けられ、前記本体部用面ファスナに係合する支持部用面ファスナと、をさらに備えている。
【００２１】
上記態様によれば、クッション支持部をクッション本体部に対して簡易に着脱自在にすることができる。それにより、ペット用クッションを各パーツに分けてコンパクトにした状態で保管することができる。また、クッション支持部の高さの変更を容易に行うことが可能となる。
【００２２】
本発明の好ましい他の一態様によれば、前記第１クッション支持部、前記第２クッション支持部、および前記第３クッション支持部は、それぞれ前記クッション本体部の長さ方向に垂直な方向において互いに離間して配置された複数のクッション点在部を有している。
【００２３】
上記態様によれば、第１〜第３クッション支持部をそれぞれ複数のクッション点在部で構成することによって、各クッション支持部の体積を低減することができる。これにより、クッション支持部の材料費を低減することができる。また、クッション支持部を軽量化することができるので、持ち運びおよび保管をし易い。
【００２４】
本発明の好ましい他の一態様によれば、ペット用クッションは、介護が必要なペットに用いられる。
【００２５】
上記態様によれば、寝たきりの状態が続くペットにペット用クッションを特に好適に用いることができる。
【発明の効果】
【００２６】
本発明によれば、ペットの前後の足が拘縮することを防止することが可能なペット用クッションを提供することができる。
【図面の簡単な説明】
【００２７】
【図１】本発明の第一実施形態に係るペット用クッションの斜視図である。
【図２】本発明の第一実施形態に係るペット用クッションを寝たきりのペットに用いている状態を示す斜視図である。
【図３】本発明の第一実施形態に係るペット用クッションを寝たきりのペットに用いている他の状態を示す図である。
【図４】本発明の第二実施形態に係るペット用クッションの斜視図である。
【図５】（ａ）は本発明の第二実施形態に係るクッション本体部の底面図であり、（ｂ）は本発明の第二実施形態に係るクッション支持部の斜視図である。
【図６】（ａ）は本発明の第二実施形態に係るクッション支持部の配置状態を示す正面図であり、（ｂ）は本発明の第二実施形態に係るクッション支持部の他の配置状態を示す正面図である。
【図７】本発明の他の実施形態に係るクッション支持部の構成を示す底面図である。
【発明を実施するための形態】
【００２８】
＜第一実施形態＞
本発明の第一実施形態に係るペット用クッション１について説明する。
【００２９】
本実施形態に係るペット用クッション１は、側臥位の状態、特に寝たきりの状態にあって、介護が必要なペットの足が内転することを防ぎ、当該内転に起因した拘縮が起こることを防止するものである。なお、ペット用クッション１を獣医がペットの診察等を行う場合に用いるのも好適である。ペット用クッション１が対象とするペットの種類は、犬または猫等の四足歩行動物である。以下では、ペット用クッション１が対象とするペットとして犬を例に挙げ、説明を行う。
【００３０】
図１に示すように、本実施形態のペット用クッション１は、足部用クッション２と、顎支持クッション３とを備えている。足部用クッション２は、クッション本体部４と、少なくとも２つのクッション支持部５とを有している。
【００３１】
クッション本体部４は例えば長尺状に形成されている。クッション本体部４は平面視において例えば矩形状に形成されている。クッション本体部４は例えば直方体形状に形成されている。クッション本体部４の厚みは、ペットの大きさ等を考慮して設定される。クッション本体部４は、側臥位の状態にあるペットの左前足および左後ろ足、ならびに右前足および右後ろ足の組合せのうち、一方側の前足および後ろ足を支持する。例えば、図２に示すように、ペットＰの右前足Ｌｒｆおよび右後ろ足Ｌｒｒがそれぞれクッション本体部４に支持される。以下、特に断らない限り、クッション本体部４に支持されるのは右前足Ｌｒｆおよび右後ろ足Ｌｒｒとする。なお、図３に示すように、ペットＰの左前足Ｌｌｆおよび左後ろ足Ｌｌｒ（図２参照）がクッション本体部４に支持されるようにしてもよい。図２に示すように、クッション本体部４は、当該クッション本体部４の長さ方向Ｄ１がペットＰの胴長さ方向Ｄｐに沿って配置される。
【００３２】
図１に示すように、クッション本体部４は、低反発性部４ａと、この低反発性部４ａよりも高い反発性を有する高反発性部４ｂとを有している。低反発性部４ａは、ペットＰの右前足Ｌｒｆおよび右後ろ足Ｌｒｒ（共に図２参照）を支持する方に配置されている。また、高反発性部４ｂは、ペットＰの右前足Ｌｒｆおよび右後ろ足Ｌｒｒを支持する方とは逆方に、つまり低反発性部４ａの下方に配置されている。低反発性部４ａは、例えばウレタン製、合皮製または布製のカバー部４ｃに低反発材料を挿入することにより形成される。カバー部４ｃは、例えば汚れや損傷等に応じて取り替えることができる。カバー部４ｃが汚れた場合には、取り外して洗濯することができる。上記の低反発材料としては、特に限定されないが、例えば低反発ウレタンフォームや低反発ジェル等の低反発素材またはビーズ材等を好適に用いることができる。また、高反発性部４ｂは、上記のカバー部４ｃに高反発材料を挿入することにより形成される。高反発材料としては、上記低反発材料よりも高反発性を有するものであれば特に限定されないが、例えば高反発ウレタンフォーム等を好適に用いることができる。
【００３３】
次に、クッション支持部５について説明する。図１に示すように、本実施形態のペット用クッション１は、３つのクッション支持部５を有している。この３つのクッション支持部５を、第１クッション支持部５ａ、第２クッション支持部５ｂ、および第３クッション支持部５ｃとする。但し、クッション支持部５の数を３つとしたが、当該クッション支持部５の数は、上述したように少なくとも２つであればよい。例えばクッション支持部５の数を２つとしてもよいし、４つ以上としてもよい。
【００３４】
クッション支持部５ａ，５ｂ，５ｃは、それぞれ形状および大きさが同じに形成されている。クッション支持部５ａ，５ｂ，５ｃは、それぞれ例えば長尺状に形成されている。クッション支持部５ａ，５ｂ，５ｃは平面視において例えば矩形状に形成されている。クッション支持部５ａ，５ｂ，５ｃは例えば直方体形状に形成されている。クッション支持部５ａ，５ｂ，５ｃの厚みは、ペットの大きさ等を考慮して設定される。クッション支持部５ａ，５ｂ，５ｃは、それぞれ上記のカバー部４ｃに高反発材料を挿入することにより形成される。なお、この高反発性材料としては、上述と同じ高反発ウレタンフォーム等を用いることができる。
【００３５】
クッション支持部５ａ，５ｂ，５ｃは、それぞれクッション本体部４の下部に設けられている。図１に示すように、クッション支持部５ａ，５ｂ，５ｃは、クッション本体部４の長さ方向Ｄ１において互いに離間して設けられている。詳細には、第１クッション支持部５ａは、クッション本体部４の一端部側（図１では左端部側）に配置されている。第２クッション支持部５ｂは、クッション本体部４の他端部側（図１では右端部側）に配置されている。第３クッション支持部５ｃは、第１クッション支持部５ａと第２クッション支持部５ｂとの間に配置されている。図１においては、第３クッション支持部５ｃは、第１クッション支持部５ａと第２クッション支持部５ｂとの間の中央に配置されている。なお、第３クッション支持部５ｃの配置は、第１クッション支持部５ａと第２クッション支持部５ｂとの間であればよく、これらの間の中央に限定されるものではない。
【００３６】
第１クッション支持部５ａは、当該第１クッション支持部５ａの長さ方向Ｄ２がクッション本体部４の長さ方向Ｄ１と交差するように配置されている。詳しくは、第１クッション支持部５ａは、当該第１クッション支持部５ａの長さ方向Ｄ２がクッション本体部４の長さ方向Ｄ１に直交するように配置されている。なお、第２クッション支持部５ｂおよび第３クッション支持部５ｃの配置については、それぞれ第１クッション支持部５ａと同じであるため、説明を省略する。このように第１〜第３クッション支持部５ａ，５ｂ，５ｃがクッション本体部４の下部に配置されることによって、第１クッション支持部５ａと第３クッション支持部５ｃとの間に前足配置空間Ｒｆが形成され、第２クッション支持部５ｂと第３クッション支持部５ｃとの間に後ろ足配置空間Ｒｒが形成される。この前足配置空間Ｒｆおよび後ろ足配置空間Ｒｒは、それぞれクッション支持部５の長さ方向Ｄ２に延びている。図２に示すように、ペットの左前足Ｌｌｆは、クッション本体部４を挟んで右前足Ｌｒｆに対向して前足配置空間Ｒｆに配置される。同様に、ペットＰの左後ろ足Ｌｌｒは、クッション本体部４を挟んで右後ろ足Ｌｒｒに対向して後ろ足配置空間Ｒｒに配置される。なお、図３に示すように、ペットＰの右前足Ｌｒｆが前足配置空間Ｒｆに配置され、右後ろ足Ｌｒｒ（図２参照）が後ろ足配置空間Ｒｒ（図２参照）に配置されるようにしてもよい。
【００３７】
ペット用クッション１を使用する際には、側臥位の状態にあるペットＰの右前足Ｌｒｆおよび右後ろ足Ｌｒｒをクッション本体部４に載置し、左前足Ｌｌｆを前足配置空間Ｒｆに挿通させ、左後ろ足Ｌｌｒを後ろ足配置空間Ｒｒに挿通させる。これにより、ペットＰは、側臥位の状態で、その４本の足によりクッション本体部４を抱きかかえるような体勢を取る。
【００３８】
図１に示すように、ペット用クッション１は、さらに顎支持クッション３を備えている。この顎支持クッション３は、クッション本体部４に対して独立に設けられるものである。顎支持クッション３は、例えばウレタン製、合皮製または布製のカバー部３ｂに低反発材料を挿入することにより形成される。カバー部３ｂは、例えば汚れや損傷等に応じて取り替えることができる。カバー部３ｂが汚れた場合には、取り外して洗濯することができる。なお、上記の低反発材料としては上述の例と同じものを用いることができる。図２に示すように、顎支持クッション３は、ペットＰの右前足Ｌｒｆおよび右後ろ足Ｌｒｒがクッション本体部４に支持され、左前足Ｌｌｆが前足配置空間Ｒｆに配置され、左後ろ足Ｌｌｒが後ろ足配置空間Ｒｒに配置された状態で、ペットＰの顎を支持する。
【００３９】
以上のように、本実施形態のペット用クッション１によれば、側臥位の状態にあるペットＰの右前足Ｌｒｆおよび右後ろ足Ｌｒｒが、それぞれ長尺状のクッション本体部４に支持される。また、ペットＰの左前足Ｌｌｆが前足配置空間Ｒｆに配置され、左後ろ足Ｌｌｒが後ろ足配置空間Ｒｒに配置される。これによって、クッション本体部４に支持されたペットＰの右前足Ｌｒｆおよび右後ろ足Ｌｒｒが内転を起こすことを防止することができ、左前足Ｌｌｆと左後ろ足Ｌｌｒとが内転を起こすことを防止することができる。また、ペットＰの左前足Ｌｌｆが前足配置空間Ｒｆに配置され、左後ろ足Ｌｌｒが後ろ足配置空間Ｒｒに配置されるので、クッション本体部４に圧迫されることがない。これにより、継続的な圧迫を受けることで関節の動く範囲が制限されることがないので、ペットＰの左前足Ｌｌｆおよび左後ろ足Ｌｌｒが拘縮することを防止することができる。そして、足の拘縮が防止されるため、足の拘縮に起因した内臓に対する圧迫を防ぐことができる。さらに、ペットＰの姿勢を、ペットＰの右前足Ｌｒｆおよび右後ろ足Ｌｒｒがクッション本体部４に支持され、左前足Ｌｌｆが前足配置空間Ｒｆに配置され、左後ろ足Ｌｌｒが後ろ足配置空間Ｒｒに配置された状態に維持することができるので、例えばオムツ交換や寝返り補助等が楽になり、介護負担が著しく軽減される。
【００４０】
また、本実施形態によれば、第３クッション支持部５ｃを設けることによって、当該第３クッション支持部５ｃを設けない場合に第１クッション支持部５ａおよび第２クッション支持部５ｂのみによって形成される配置空間を、前足配置空間Ｒｆと後ろ足配置空間Ｒｒとに分けることができる。それによって、ペットＰの左前足Ｌｌｆおよび左後ろ足Ｌｌｒの位置決めがし易くなると共に、当該左前足Ｌｌｆと左後ろ足Ｌｌｒとが擦れることがなくなる。また、第３クッション支持部５ｃを設けない場合、クッション本体部４の材質や剛性によっては、当該クッション本体部４の中央部が撓む恐れがあるが、このようなクッション本体部４に生じ得る撓みを第３クッション支持部５ｃによって抑制することができる。
【００４１】
また、本実施形態によれば、第１〜第３クッション支持部５ａ，５ｂ，５ｃは、これらの長さ方向Ｄ２がクッション本体部４の長さ方向Ｄ１に直交するように配置されている。これにより、第１〜第３クッション支持部５ａ，５ｂ，５ｃがその長さ方向Ｄ２がクッション本体部４の長さ方向Ｄ１と平行になるように配置されている場合に比べ、前足配置空間Ｒｆおよび後ろ足配置空間Ｒｒの大きさをより大きくすることができる。これによって、前足配置空間Ｒｆおよび後ろ足配置空間Ｒｒに配置されるペットＰの左前足Ｌｌｆおよび左後ろ足Ｌｌｒの自由度がより増す。これによって、ペットＰに大きな拘束感を与えることが防止される。
【００４２】
また、本実施形態によれば、右前足Ｌｒｆおよび右後ろ足Ｌｒｒがクッション本体部４に支持され、左前足Ｌｌｆが前足配置空間Ｒｆに配置され、左後ろ足Ｌｌｒが後ろ足配置空間Ｒｒに配置された状態のペットＰの顎を顎支持クッション３により支持することができる。これによって、ペットＰの頭部の位置が高くなり、当該ペットＰの姿勢が楽になることが期待される。
【００４３】
また、本実施形態によれば、クッション本体部４において、ペットＰの右前足Ｌｒｆおよび右後ろ足Ｌｒｒに接触する部分を低反発性部４ａにより比較的柔らかくすることができる。これにより、ペットＰの体圧が分散され、ペットＰに対する不快感を抑制することができる。また、低反発性部４ａよりも離れた領域に高反発性部４ｂを設けることによって、クッション本体部４の剛性を高めることができる。
【００４４】
また、本実施形態のペット用クッション１は、寝たきりの状態が続き介護が必要なペットＰに特に好適に用いることができる。
【００４５】
＜第二実施形態＞
続いて、本発明の第二実施形態に係るペット用クッション１ａについて説明する。図４に示すように、第二実施形態のペット用クッション１ａの構成が第一実施形態のペット用クッション１の構成と異なる点は、第１クッション支持部５ａ、第２クッション支持部５ｂ、および第３クッション支持部５ｃがクッション本体部４の下部に対して着脱自在に設けられる点である。ペット用クッション１ａの他の構成は、ペット用クッション１の構成と同じであるため、説明を省略する。
【００４６】
図５（ａ）に示すように、クッション本体部４の下部には、本体部用面ファスナＦａ，Ｆｂ，Ｆｃが設けられている。本体部用面ファスナＦａ，Ｆｂ，Ｆｃは、例えば矩形状に形成されている。本体部用面ファスナＦａ，Ｆｂ，Ｆｃは、それぞれその長さ方向がクッション本体部４の長さ方向Ｄ１と直交するように配置されている。本体部用面ファスナＦａは、クッション本体部４の一端部側、すなわち第１クッション支持部５ａ（図４参照）が配置される領域に設けられている。本体部用面ファスナＦｂは、クッション本体部４の他端部側、すなわち第２クッション支持部５ｂ（図４参照）が配置される領域に設けられている。本体部用面ファスナＦｃは、クッション本体部４の中央部、すなわち第３クッション支持部５ｃ（図４参照）が配置される領域に設けられている。本体部用面ファスナＦａの大きさ（つまり面積）は、第１クッション支持部５ａの後述する面Ｍ１（図５（ｂ）参照）よりも小さい。なお、本体部用面ファスナＦｂ，Ｆｃの大きさについても同様である。
【００４７】
第１クッション支持部５ａが直方体形状に形成されている点については第一実施形態と同様である。図５（ｂ）に示すように、第１クッション支持部５ａは、当該第１クッション支持部５ａの長さ方向Ｄ２に垂直な面ＭＫを有している。この面ＭＫは、第１辺Ｈ１と、当該第１辺Ｈ１よりも長い第２辺Ｈ２とを有している。すなわち、面ＭＫは矩形状の面である。第１クッション支持部５ａは、第１辺Ｈ１と平行な面Ｍ１に設けられた支持部用面ファスナＦｖと、第２辺Ｈ２と平行な面Ｍ２に設けられた支持部用面ファスナＦｈと、を有している。支持部用面ファスナＦｖの大きさは、面Ｍ１の大きさよりも小さい。支持部用面ファスナＦｖは、面Ｍ１の内側に設けられている。同様に、支持部用面ファスナＦｈの大きさは、面Ｍ２の大きさよりも小さい。支持部用面ファスナＦｈは、面Ｍ２の内側に設けられている。なお、第２クッション支持部５ｂおよび第３クッション支持部５ｃの構成についても、第１クッション支持部５ａと同様であるため、説明を省略する。
【００４８】
上記のように２つの支持部用面ファスナＦｖ，Ｆｈが設けられた第１クッション支持部５ａのクッション本体部４に対する装着向きを変更することで、当該第１クッション支持部５ａの高さを変更することができる。以下、詳しく説明する。図６（ａ）に示すように、支持部用面ファスナＦｈ（図５（ｂ）参照）をクッション本体部４の本体部用面ファスナＦａ（図５（ａ）参照）に係合させることによって、高さを第１辺Ｈ１と同じ高さにした状態で第１クッション支持部５ａを装着することができる。これに対して、図６（ｂ）に示すように、支持部用面ファスナＦｖ（図５（ｂ）参照）をクッション本体部４の本体部用面ファスナＦａ（図５（ａ）参照）に係合させることによって、高さを第２辺Ｈ２と同じ高さにした状態で第１クッション支持部５ａを装着することができる。なお、第２クッション支持部５ｂおよび第３クッション支持部５ｃの配置についても、上記の第１クッション支持部５ａと同様であるため、説明を省略する。
【００４９】
このように、本実施形態のペット用クッション１ａによれば、第１辺Ｈ１がクッション本体部４の長さ方向Ｄ１に垂直となるように配置された状態（図６（ａ）参照）から、第２辺Ｈ２が長さ方向Ｄ１に垂直となるように配置された状態（図６（ｂ）参照）に第１〜第３クッション支持部５ａ，５ｂ，５ｃの配置を変更することによって、第１〜第３クッション支持部５ａ，５ｂ，５ｃの高さを比較的高くすることができる。逆に、第２辺Ｈ２が長さ方向Ｄ１に垂直となるように配置された状態（図６（ｂ）参照）から、第１辺Ｈ１が長さ方向Ｄ１に垂直となるように配置された状態（図６（ａ）参照）に第１〜第３クッション支持部５ａ，５ｂ，５ｃの配置を変更することによって、第１〜第３クッション支持部５ａ，５ｂ，５ｃの高さを比較的低くすることができる。このように、ペットＰの個体差に応じて、第１〜第３クッション支持部５ａ，５ｂ，５ｃの高さを柔軟に変更することが可能となる。なお、第１クッション支持部５ａの配置変更を行う際には、本体部用面ファスナＦａが第１クッション支持部５ａの装着面の外方に出ないようにする。第２クッション支持部５ｂおよび第３クッション支持部５ｃの配置変更の際にも同様にする。それにより、ペットＰの毛が本体部用面ファスナＦａ，Ｆｂ，Ｆｃに絡むことを防止することができる。また、上記と同様に、ペットＰの毛が絡むことを防ぐために、支持部用面ファスナＦｖ，Ｆｈがクッション本体部４の外形線よりも外方に出ないようにする。
【００５０】
また、本実施形態によれば、本体部用面ファスナＦａ，Ｆｂ，Ｆｃおよび支持部用面ファスナＦｖ，Ｆｈによって、第１〜第３クッション支持部５ａ，５ｂ，５ｃをクッション本体部４に対して簡易に着脱自在にすることができる。それにより、ペット用クッション１ａを各パーツに分けてコンパクトにした状態で保管することができると共に、分解された各パーツは凹凸がないので、カバー部４ｃに入れる作業が容易となる。また、第１〜第３クッション支持部５ａ，５ｂ，５ｃの高さの変更をそれぞれ容易に行うことが可能となる。
【００５１】
以上、本発明の実施形態について説明したが、ペット用クッションにさらに次のような変形例を適用してもよい。
【００５２】
上記実施形態では、長さ方向Ｄ２に延びた第１〜第３クッション支持部５ａ，５ｂ，５ｃを採用するようにしたが、これに限定されるものではない。図７に示すように、長さ方向Ｄ２に延びた第１クッション支持部５ａの代わりに、長さ方向Ｄ２において互いに離間して配置されたクッション点在部５１ａ，５１ｂ，５１ｃを設けるようにしてもよい。この場合、クッション点在部５１ａ，５１ｂ，５１ｃのクッション本体部４に対する着脱を面ファスナにより行うことができる。クッション点在部の数を３つとしたが、２つでもよく、４つ以上でもよい。このように、クッション点在部５１ａ，５１ｂ，５１ｃを用いることによって、第１クッション支持部５ａを用いる場合よりも、クッション支持部の体積を低減することができる。これにより、クッション支持部の材料費を低減することができる。また、クッション支持部を軽量化することができるので、持ち運びおよび保管をし易い。なお、同じ様に、第２クッション支持部５ｂの代わりにクッション点在部５２ａ，５２ｂ，５２ｃを用い、第３クッション支持部５ｃの代わりにクッション点在部５３ａ，５３ｂ，５３ｃを用いてもよい。
【００５３】
また、クッション本体部４の上部に、第３クッション支持部５ｃと同形状の区分けクッション部を設けるようにしてもよい。これによって、ペットＰの右前足Ｌｒｆおよび右後ろ足Ｌｒｒの位置決めがし易くなると共に、当該右前足Ｌｒｆと右後ろ足Ｌｒｒとが擦れることがなくなる。
【００５４】
また、上記実施形態では、クッション本体部４の形状を平面視で矩形状としたが、これに限定されるものではない。クッション本体部４においてペットＰの胴に触れる部分の形状を、当該ペットＰの胴の形状に沿った形状にしてもよい。
【００５５】
また、上記実施形態では、クッション本体部４上に特に何も設けなかったが、例えばペットシーツ等の取り替え可能な敷物を敷いておくことが望ましい。
【００５６】
また、ペットＰが床ずれを起こさないように、定期的に寝返りをさせてペット用クッション１をセットし直すことが望ましい。
【００５７】
さらに、上記実施形態では、ペット用クッション１が対象とするペットＰとして犬を例に挙げて説明を行ったが、これに限定されるものではない。ペット用クッション１が対象とするペットＰとしては、例えば猫、羊や馬等の種々の四足歩行動物が挙げられる。
【符号の説明】
【００５８】
１      ペット用クッション
２      足部用クッション
３      顎支持クッション
４      クッション本体部
４ａ    低反発性部
４ｂ    高反発性部
５      クッション支持部
５ａ    第１クッション支持部
５ｂ    第２クッション支持部
５ｃ    第３クッション支持部
５１ａ  クッション点在部
５１ｂ  クッション点在部
５１ｃ  クッション点在部
Ｄ１    クッション本体部の長さ方向
Ｄ２    クッション支持部の長さ方向
Ｄｐ    ペットの胴長さ方向
Ｆａ    本体部用面ファスナ
Ｆｂ    本体部用面ファスナ
Ｆｃ    本体部用面ファスナ
Ｆｈ    支持部用面ファスナ
Ｆｖ    支持部用面ファスナ
Ｈ１    第１辺
Ｈ２    第２辺
Ｌｌｆ  ペットの左前足
Ｌｌｒ  ペットの左後ろ足
Ｌｒｆ  ペットの右前足
Ｌｒｒ  ペットの右後ろ足
ＭＫ    クッション支持部の長さ方向に垂直な面
Ｐ      ペット
Ｒｆ    前足配置空間（配置空間）
Ｒｒ    後ろ足配置空間（配置空間）
【図１】
2017158493.tif 000003
【図２】
2017158493.tif 000004
【図３】
2017158493.tif 000005
【図４】
2017158493.tif 000006
【図５】
2017158493.tif 000007
【図６】
2017158493.tif 000008
【図７】
2017158493.tif 000009